(57)【特許請求の範囲】
【請求項１】
貯蔵室と、
前記貯蔵室に供給される空気を冷却する冷却器が配設される冷却室と、
前記貯蔵室の奥に形成されて前記貯蔵室と前記冷却室とをつなぎ、前記冷却器で冷却された空気を流す供給風路と、
前記供給風路に設けられて前記供給風路内を流れる空気の流量を調整するシャッタ部材と、
前記シャッタ部材の開度を操作するための操作部材と、
前記シャッタ部材と前記操作部材とを連結するリンク機構と、を有し、
前記シャッタ部材は、前記貯蔵室に対して前後方向に延在する回動軸に揺動自在に枢支され、
前記操作部材は、前記貯蔵室の奥面に沿う方向に直線動自在に支持され、
前記リンク機構は、前記操作部材の直線運動を回転運動に変換して前記シャッタ部材に伝達し、
前記シャッタ部材は、その一端近傍が前記回動軸に枢支される固定端になると共に前記一端の反対側となる他端が自由端となり、
前記回動軸は、前記供給風路を構成する左右の対向する側面のうち一方の側面の近傍に設けられ、
前記固定端と前記一方の側面との間には、空気が流通可能な間隙が形成されることを特徴とする冷蔵庫。
【請求項２】
前記リンク機構は、前記シャッタ部材に形成される長孔状若しくは溝状のガイド部と、前記操作部材に形成されて奥方向に突出して前記ガイド部に摺動自在に嵌合するピン部と、を有することを特徴とする請求項１に記載の冷蔵庫。
【請求項３】
内箱の前面に設けられて前記内箱との間に前記供給風路を形成するダクト部材と、
前記ダクト部材の前面を覆い前記貯蔵室の奥面を構成するダクトカバーと、を有し、
前記操作部材は、前記ダクトカバーに形成される開口から前記貯蔵室内に突出する操作部を有し、前記ダクト部材と前記ダクトカバーとの間に摺動自在に挟持されることを特徴とする請求項１または請求項２に記載の冷蔵庫。
【請求項４】
前記シャッタ部材は、前記自由端が下方に移動するよう回動して前記供給風路を開き、
前記一方の側面には、前記シャッタ部材が前記供給風路を全開にする状態において前記自由端の下方で前記自由端よりも左右方向の内側に突出する凸部が形成されることを特徴とする請求項１から請求項３の何れか１項に記載の冷蔵庫。
【請求項５】
前記貯蔵室は、少なくとも上段の冷蔵室と下段の冷凍室とに区画され、
前記供給風路は、前記冷蔵室につながる冷蔵用供給風路と前記冷凍室につながる冷凍用供給風路とに分かれ、
前記シャッタ部材及び前記操作部材は、前記冷蔵室の奥の前記冷蔵用供給風路に設けられることを特徴とする請求項１から請求項４の何れか１項に記載の冷蔵庫。
【発明の詳細な説明】
【技術分野】
【０００１】
本発明は、貯蔵室内に食品等を冷却保存する冷蔵庫に関し、特に、貯蔵室に供給される空気の流量を調整するための手動式のシャッタを有する冷蔵庫に関する。
【背景技術】
【０００２】
従来、この種の冷蔵庫として、特許文献１に開示された冷蔵庫が知られている。同文献の冷蔵庫は、冷却器で冷却された空気を流す左右の冷気ダクトに取り付けられる一対のシャッタと、一対のシャッタを連結して支持する棒状部材と、を有する。左右のシャッタを支持する棒状部材は左右方向に移動自在であり、棒状部材に設けられた冷凍室温度調節つまみを左右方向に動かすことによって棒状部材が左右方向に移動する。これに連動してシャッタが左右方向に移動して、冷気ダクト内の冷気が通過する面積が変化し、これにより、冷蔵室に供給される冷気の量が調整される。
【０００３】
また、他の従来技術の例として、特許文献２には、冷蔵庫奥行の前後方向に移動する手動式スライドシャッタを備えた冷蔵庫が開示されている。同文献の手動式スライドシャッタは、冷凍室と冷蔵室とを区画形成する仕切板の冷凍室側奥部の天面部に設置され、前後方向に移動して冷凍室吐出口の開口面積を調整するよう設けられる。
【０００４】
また、特許文献３には、風路内に回転自在に設けられる円柱状のダンパを有する冷蔵庫が開示されている。同文献に記載された円柱状のダンパは、上下方向に延びる軸を有し、風路を横切るように延びる上下一対のフランジ間に設けられる。この円柱状のダンパは手動にて回転操作され、ダンパに形成される孔とフランジの通気口との組み合わせによって冷気の流量が調整される。
【先行技術文献】
【特許文献】
【０００５】
【特許文献１】特開２００７−２２５１９３号公報（第４−５頁、第１０図）
【特許文献２】特開２００９−８５５４５号公報（第４頁、第３図）
【特許文献３】特開平１−２０３８７７号公報（第２−３頁、第４図）
【発明の概要】
【発明が解決しようとする課題】
【０００６】
しかしながら、特許文献１に開示された従来技術のように、左右方向に移動して供給風路である冷気ダクト内の通路面積を変化させる方式のシャッタでは、シャッタを操作するための操作部の移動量が大きくなるという問題点があった。
【０００７】
具体的には、貯蔵室の収納容積を大きく確保するために供給風路の奥行きを小さくし、且つ貯蔵室を冷却するための空気を小さい流動損失で流すために供給風路の横幅を広くして通路面積を大きく確保する場合、左右方向に移動するシャッタでは、シャッタ開閉のための移動量が大きくなってしまう。他方、シャッタの移動量を小さくして、且つ所定の通路面積を確保すべく供給風路の奥行寸法を大きくすると、供給風路に相当する部分が貯蔵室側に大きく張り出すこととなり、貯蔵室の有効的な収納容積が減少してしまう。
【０００８】
また、特許文献２に開示された従来技術のように、前後方向に移動する手動式スライドシャッタでは、シャッタを操作するための操作手段も前後方向に移動することとなるので、操作手段を貯蔵室の奥面に設けることが難しかった。そのため、シャッタの操作手段は、貯蔵室の天面若しくは底面に設けられることとなる。しかし、操作部が貯蔵室の底面に設けられると、収納物を載置する際に邪魔になり、操作部が天面に設けられると、使用者から視認し難く、操作性が良くない。
【０００９】
また、特許文献３に開示された従来技術のように、上下方向に延在する軸によって回転自在に支持される円柱状のダンパを用いて供給風路内の空気の流れを調整する方法では、円柱状のダンパを設置する部分において、供給風路の奥行寸法が大きくなってしまう。そのため、貯蔵室の有効的な収納容積が減少して収納性能が低下してしまう。
【００１０】
本発明は、上記の事情に鑑みてなされたものであり、その目的とするところは、操作性に優れ小さな操作量で大きな開閉動作が得られる手動式のシャッタを有し、供給風路の横幅を広くして貯蔵室の収納容積を広く確保することができる冷蔵庫を提供することにある。
【課題を解決するための手段】
【００１１】
本発明の冷蔵庫は、貯蔵室と、前記貯蔵室に供給される空気を冷却する冷却器が配設される冷却室と、前記貯蔵室の奥に形成されて前記貯蔵室と前記冷却室とをつなぎ、前記冷却器で冷却された空気を流す供給風路と、前記供給風路に設けられて前記供給風路内を流れる空気の流量を調整するシャッタ部材と、前記シャッタ部材の開度を操作するための操作部材と、前記シャッタ部材と前記操作部材とを連結するリンク機構と、を有し、前記シャッタ部材は、前記貯蔵室に対して前後方向に延在する回動軸に揺動自在に枢支され、前記操作部材は、前記貯蔵室の奥面に沿う方向に直線動自在に支持され、前記リンク機構は、前記操作部材の直線運動を回転運動に変換して前記シャッタ部材に伝達し、前記シャッタ部材は、その一端近傍が前記回動軸に枢支される固定端になると共に前記一端の反対側となる他端が自由端となり、前記回動軸は、前記供給風路を構成する左右の対向する側面のうち一方の側面の近傍に設けられ、前記固定端と前記一方の側面との間には、空気が流通可能な間隙が形成されることを特徴とする。
【００１２】
また、本発明の冷蔵庫は、前記リンク機構は、前記シャッタ部材に形成される長孔状若しくは溝状のガイド部と、前記操作部材に形成されて奥方向に突出して前記ガイド部に摺動自在に嵌合するピン部と、を有することを特徴とする。
【００１３】
また、本発明の冷蔵庫は、内箱の前面に設けられて前記内箱との間に前記供給風路を形成するダクト部材と、前記ダクト部材の前面を覆い前記貯蔵室の奥面を構成するダクトカバーと、を有し、前記操作部材は、前記ダクトカバーに形成される開口から前記貯蔵室内に突出する操作部を有し、前記ダクト部材と前記ダクトカバーとの間に摺動自在に挟持されることを特徴とする。
【００１５】
また、本発明の冷蔵庫は、前記シャッタ部材は、前記自由端が下方に移動するよう回動して前記供給風路を開き、前記一方の側面には、前記シャッタ部材が前記供給風路を全開にする状態において前記自由端の下方で前記自由端よりも左右方向の内側に突出する凸部が形成されることを特徴とする。
【００１６】
また、本発明の冷蔵庫は、前記貯蔵室は、少なくとも上段の冷蔵室と下段の冷凍室とに区画され、前記供給風路は、前記冷蔵室につながる冷蔵用供給風路と前記冷凍室につながる冷凍用供給風路とに分かれ、前記シャッタ部材及び前記操作部材は、前記冷蔵室の奥の前記冷蔵用供給風路に設けられることを特徴とする。
【発明の効果】
【００１７】
本発明の冷蔵庫によれば、供給風路内を流れる空気の流量を調整するシャッタ部材は、貯蔵室に対して前後方向に延在する回動軸に揺動自在に枢支され、前記シャッタ部材の開度を操作するための操作部材は、前記貯蔵室の奥面に沿う方向に直線動自在に支持され、前記シャッタ部材と前記操作部材とを連結するリンク機構は、前記操作部材の直線運動を回転運動に変換して前記シャッタ部材に伝達する。これにより、操作部材を貯蔵室の奥面に沿う方向に移動させることによりシャッタ部材を容易に開閉することができ、且つ操作部材の移動量が小さくてもシャッタ部材を大きく回動させることができる。そのため、供給風路の横幅を広くして所定の通路面積を確保しつつ、供給風路の奥行きを狭くして貯蔵室の収納容積を大きく確保するこができる。
【００１８】
また、本発明によれば、前記リンク機構は、前記シャッタ部材に形成される長孔状若しくは溝状のガイド部と、前記操作部材に形成されて奥方向に突出して前記ガイド部に摺動自在に嵌合するピン部と、を有する。このような構成により、少ない部品数で操作部材の直線運動をシャッタ部材の回転運動に変換するリンク機構を構成することができる。
【００１９】
また、本発明によれば、内箱の前面に設けられて前記内箱との間に前記供給風路を形成するダクト部材と、前記ダクト部材の前面を覆い前記貯蔵室の奥面を構成するダクトカバーと、を有し、前記操作部材は、前記ダクトカバーに形成される開口から貯蔵室内に突出する操作部を有する。これにより、貯蔵室の奥面から突出する操作部を操作してシャッタ部材を開閉することができるので、風量の調整を容易に行うことができる。
【００２０】
また、前記操作部材は、前記ダクト部材と前記ダクトカバーとの間に摺動自在に挟持される。これにより、操作部材を直線往復動自在に支持するための支持部品等を別途設けることなく、簡易な構成で操作部材を支持することができる。
【００２１】
また、本発明によれば、前記シャッタ部材は、その一端近傍が前記回動軸に枢支される固定端になると共に前記一端の反対側となる他端が自由端となり、前記回動軸は、前記供給風路を構成する左右の対向する側面のうち一方の側面の近傍に設けられ、前記固定端と前記一方の側面との間には、空気が流通可能な間隙が形成される。これにより、シャッタ部材の上流側でシャッタ部材と供給風路の一方の側面との間で滞留する空気を、シャッタ部材の固定端と供給風路の一方の側面との間に形成される前記間隙を介して下流側に流すことができる。その結果、シャッタ部材の上流側の空気が過度に停留して部分的に温度差が生ずることを抑制することができる。
【００２２】
また、本発明によれば、前記シャッタ部材は、前記自由端が下方に移動するよう回動して前記供給風路を開き、前記一方の側面には、前記シャッタ部材が前記供給風路を全開にする状態において前記自由端の下方で前記自由端よりも左右方向の内側に突出する凸部が形成される。これにより、シャッタ部材を全開にした状態においては、シャッタ部材の自由端が前記凸部に接近し、前記凸部によってシャッタ部材とその固定端側の供給風路の側面との間に空気が流れ込むことが抑制される。従って、シャッタ部材の自由端と、自由端側の供給風路の側面との間に形成される大きな開口を通じて、少ない流動損失で空気を効率良く流すことができる。
【００２３】
また、本発明によれば、前記貯蔵室は、少なくとも上段の冷蔵室と下段の冷凍室とに区画され、前記供給風路は、前記冷蔵室につながる冷蔵用供給風路と前記冷凍室につながる冷凍用供給風路とに分かれ、前記シャッタ部材及び前記操作部材は、前記冷蔵室の奥の前記冷蔵用供給風路に設けられる。従って、操作部材を介してシャッタ部材を開閉することにより、冷蔵室に供給される空気の流量を好適に調整することができると共に、冷凍室に供給される空気の流量も好適に調整することができる。
【００２４】
また、このような構成により、操作部材の操作部は、上段に区画される冷蔵室の奥面に設けられることになるので、シャッタ部材の操作性が向上する。また、操作部材の操作部は、冷凍室よりも温度の高い冷蔵室に設けられるので、操作時に貯蔵室の前面の断熱扉を開放することによる熱損失も抑えることができる。
【図面の簡単な説明】
【００２５】
【図１】本発明の実施形態に係る冷蔵庫の概略構造を示す側面断面図である。
【図２】本発明の実施形態に係る冷蔵庫の冷蔵室の内部を示す正面図である。
【図３】本発明の実施形態に係る冷蔵庫の（Ａ）Ａ−Ａ線断面図、（Ｂ）Ｃ部拡大図である。
【図４】本発明の実施形態に係る冷蔵庫のダクト部材及びダクトカバーのＢ部近傍の背面図である。
【図５】本発明の実施形態に係る冷蔵庫の冷蔵室のＢ部近傍を前面側から見た斜視図である。
【図６】本発明の実施形態に係る冷蔵庫のダクト部材のＢ部近傍を前面側から見た斜視図である。
【図７】本発明の実施形態に係る冷蔵庫のダクト部材のＢ部近傍を背面側から見た斜視図である。
【図８】本発明の実施形態に係る冷蔵庫のシャッタ部材を全開にした状態を示すダクト部材及びダクトカバーのＢ部近傍の背面図である。
【図９】本発明の実施形態に係る冷蔵庫のシャッタ部材を半開にした状態を示すダクト部材及びダクトカバーのＢ部近傍の背面図である。
【図１０】本発明の実施形態に係る冷蔵庫のシャッタ部材を全閉にした状態を示すダクト部材及びダクトカバーのＢ部近傍の背面図である。
【発明を実施するための形態】
【００２６】
以下、本発明の実施形態に係る冷蔵庫を図面に基づき詳細に説明する。
【００２７】
図１は、本発明の実施形態に係る冷蔵庫１の概略構造を示す側面断面図である。なお、図１において、庫内を循環する空気の流れを実線矢印で示している。図１に示すように、冷蔵庫１は、断熱箱体２を備え、該断熱箱体２の内部に食品等を貯蔵する貯蔵室が形成されている。貯蔵室の内部は、断熱仕切壁８によって保存温度の異なる上段の冷蔵室３と下段の冷凍室４とに区画されている。
【００２８】
断熱箱体２の前面は開口しており、冷蔵室３に対応する前記開口には断熱扉５が、冷凍室４に対応する前記開口には断熱扉６が、各々開閉自在に設けられている。断熱扉５は、右上下部が断熱箱体２に回動自在に支持されている。また、断熱扉６は、冷蔵庫１の前方に引出自在に、断熱箱体２に支持されている。
【００２９】
冷蔵庫１の本体である断熱箱体２は、前面に開口部を有する鋼板製の外箱２ａと、該外箱２ａの内側に間隙を持たせて配設され、前面に開口部を有する合成樹脂製の内箱２ｂと、前記外箱２ａと内箱２ｂとの間隙に充填発泡される発泡ポリウレタン製の断熱材２ｃと、から構成されている。断熱扉５及び断熱扉６も、断熱箱体２と同様の断熱構造を採用している。また、断熱仕切壁８は、合成樹脂の成形品であり、その内部には断熱材が充填されている。
【００３０】
冷蔵室３の奥、即ち背面側には、冷却器３１で冷却された空気を冷蔵室３に供給する冷蔵用供給風路として供給風路１０が形成されている。供給風路１０は、ダクト部材２０と内箱２ｂとの間に形成され、ダクト部材２０の前面には、ダクトカバー１２が配設される。また、冷蔵庫１は、冷蔵室３と冷却室７とをつなぎ、冷蔵室３から冷却室７へと空気を戻すための図示しない帰還風路を有する。
【００３１】
冷凍室４の奥には、合成樹脂製の仕切部材で区画されて、供給風路１１が形成されている。供給風路１１は、冷却器３１で冷却された空気を冷凍室４へと流す冷凍用供給風路である。また、冷凍室４の背面下部には、冷凍室４から冷却室７へと空気を戻す戻り口が形成されている。
【００３２】
供給風路１０と供給風路１１とは連通しており、供給風路１０には、供給風路１０内を流れる空気の流量を調整するシャッタ部材２６が設けられる。シャッタ部材２６によって、冷蔵室３に供給される冷気の流量が調整されると共に、冷凍室４に供給される冷気の流量も同時に調整されて、冷蔵室３及び冷凍室４の温度が好適に調整される。
【００３３】
内箱２ｂ内部の供給風路１１の更に奥には、仕切体で区画されて冷却室７が設けられる。冷却室７上部の仕切体には、冷却室７と供給風路１０及び供給風路１１とをつなぐ開口７ａが形成されており、開口７ａには、冷蔵室３及び冷凍室４に冷気を供給するための送風機３２が配設されている。他方、冷却室７の下方には、冷蔵室３及び冷凍室４からの帰還冷気を冷却室７の内部へと吸入する開口７ｂが形成されている。
【００３４】
そして、冷却室７の内部には、循環する空気を冷却するための蒸発器である冷却器３１が配置されている。冷却器３１は、圧縮機３０、図示しない放熱器、図示しない膨張弁若しくは図示しないキャピラリーチューブに冷媒配管を介して接続されており、これにより、蒸気圧縮式の冷凍サイクル回路が構成される。なお、本実施形態に係る冷蔵庫１では、前記冷凍サイクル回路の冷媒として、Ｒ６００ａ、即ちイソブタンが用いられる。
【００３５】
なお、冷蔵庫１は、冷蔵室３の温度を検出する温度センサや、その温度センサによって検出される冷蔵室３の温度に基づいて送風機３２や圧縮機３０の稼働停止や運転周波数等を制御する制御装置等を備えても良い。
【００３６】
図２は、冷蔵庫１の冷蔵室３の内部を示す正面図であり、断熱扉５（図１参照）を外した状態を示している。図２に示すように、冷蔵室３の奥面の略中央に供給風路１０の前面を覆うようにダクトカバー１２が備えられる。
【００３７】
ダクトカバー１２は、上下方向に延在して冷蔵室３の奥面を構成する部材であり、例えば、ポリプロピレン等の合成樹脂から成形される。ダクトカバー１２は、図示しないねじやクリップ等の締結部材によって、若しくは、内箱２ｂに固定される固定部材等に係合することによって、内箱２ｂ（図１参照）に固定される。
【００３８】
ダクトカバー１２には、冷蔵室３に冷気を吹き出す複数の吹出口１３が形成される。冷却器３１（図１参照）で冷却された空気は、供給風路１０を通り吹出口１３より吹き出される。
【００３９】
また、冷蔵室３の奥面を構成するダクトカバー１２には、シャッタ部材２６（図４参照）の開度を手動で操作するための操作部１７が設けられる。このように、操作部１７は、上段に区画される冷蔵室３の奥面に設けられるので、シャッタ部材２６の開閉操作を行い易い。また、操作部１７は、冷凍室４よりも温度の高い冷蔵室３に設けられるので、操作時に貯蔵室の前面の断熱扉５を開放することによる熱損失も少ない。
【００４０】
図３（Ａ）は、冷蔵庫１の冷蔵室３の水平断面図であり、図２におけるＡ−Ａ線断面を表している。また、図３（Ｂ）は、図３（Ａ）に示すＣ部拡大図であり、供給風路１０近傍の水平断面図である。
【００４１】
図３（Ａ）及び（Ｂ）に示すように、ダクトカバー１２の背面側には、ダクト部材２０が取り付けられる。具体的には、ダクト部材２０は、内箱２ｂの内側、即ち前面側に取り付けられ、ダクトカバー１２は、ダクト部材２０を覆うようにその前面に取り付けられる。つまり、ダクト部材２０は、ダクトカバー１２と内箱２ｂとの間に挟まれるように配設される。
【００４２】
ダクト部材２０は、例えば、発泡ポリスチレン等の合成樹脂から成形され、水平断面略コ字状で上下方向に延在する部材である。具体的には、ダクト部材２０の背面には、水平断面略コ字状で上下方向に延在する凹部２１が形成されており、この凹部２１が冷気を流す供給風路１０となる。これにより、冷蔵室３の奥に、ダクト部材２０と内箱２ｂとに挟まれて供給風路１０が形成される。
【００４３】
図４は、冷蔵庫１のダクト部材２０及びダクトカバー１２の図２に示すＢ部近傍の背面図である。即ち、図４は、ダクト部材２０及びダクトカバー１２を内箱２ｂから取り外してシャッタ部材２６近傍を背面側から見た図である。
【００４４】
図４に示すように、供給風路１０には、供給風路１０の通路面積を変化させて、流れる空気の流量を調整するシャッタ部材２６が設けられる。シャッタ部材２６は、例えば、ポリプロピレン等の合成樹脂から成形される略板状の部材であり、その一端である固定端２６ｂ近傍は、冷蔵庫１の前後方向に延在する回動軸２８に揺動自在に枢支される。
【００４５】
回動軸２８は、ダクトカバー１２若しくはダクト部材２０に固定される、例えば、ねじ軸等であり、供給風路１０を構成する左右の対向する側面２４ａ、２４ｂのうち一方の側面２４ｂの近傍に設けられる。
【００４６】
シャッタ部材２６は、回動軸２８に枢支される固定端２６ｂの反対側となる他端が自由端２６ａとなって、回動軸２８を中心として回動する。これにより、供給風路１０の前記一方の側面２４ｂに対向する他方の側面２４ａと自由端２６ａとの間に形成される空気の通路面積が変化し、供給風路１０を流れる空気の流量が調整される。
【００４７】
なお、シャッタ部材２６は、固定端２６ｂ近傍が厚く、自由端２６ａに向かって徐々に薄くなるよう略テーパ状に形成される。これにより、幅広の供給風路１０に対応する長尺のシャッタ部材２６を、所定の強度を確保しつつ軽量に形成することができる。
【００４８】
シャッタ部材２６は、リンク機構を介して、シャッタ部材２６の開度を操作するための操作部材１６に連結されている。操作部材１６は、冷蔵室３（図２参照）の奥面に沿って略左右方向に直線動自在に支持され、前記リンク機構は、操作部材１６の直線運動を回転運動に変換してシャッタ部材２６に伝達する。
【００４９】
具体的には、シャッタ部材２６と操作部材１６とを連結するリンク機構は、シャッタ部材２６に形成されるガイド部２７と、操作部材１６に形成されるピン部１８と、が連結されることよって構成される。
【００５０】
即ち、シャッタ部材２６には、回動軸２８を略中心として略半径方向に長く形成される略長孔状のガイド部２７が形成され、操作部材１６には、奥方向、即ち背面方向に突出してガイド部２７に摺動自在に嵌合するピン部１８が形成される。
【００５１】
このような構成により、少ない部品数で、且つ組み立て作業も容易に、操作部材１６の直線運動をシャッタ部材２６の回転運動に変換するリンク機構を構成することができる。なお、ガイド部２７は、ピン部１８が摺動自在に支持される構造であれば良く、前述のガイド部２７のように貫通する孔に限定されず、例えば、略溝状の形態であっても良い。
【００５２】
なお、詳しくは後述するが、操作部材１６は、ダクト部材２０の前面側に設けられる。そのため、ダクト部材２０には、操作部材１６のピン部１８が挿通される前面側から背面側に貫通する略長孔状のピン孔２２が形成されている。
【００５３】
また、図示を省略するが、ダクトカバー１２やダクト部材２０には、各種センサや制御装置、配線等を装着するためのその他の形状、例えば、凹凸形状や溝、孔等が形成されても良い。
【００５４】
図５は、冷蔵庫１の冷蔵室３の図２に示すＢ部近傍、即ちシャッタ部材２６近傍を前面側から見た斜視図である。冷蔵室３の奥面を構成するダクトカバー１２には、操作部材１６の前面側に突設される操作部１７が挿通される略長孔状の開口である操作孔１４が形成されている。
【００５５】
操作部材１６の操作部１７は、操作孔１４に挿通されて冷蔵室３の内部に突出する。これにより、使用者は、操作部１７を摘まんで操作部材１６を冷蔵室３の奥面に沿って略左右方向に移動させることによりシャッタ部材２６を容易に開閉することができ、冷蔵室３に供給される風量の調整を容易に行うことができる。
【００５６】
図６は、冷蔵庫１のダクト部材２０の図２に示すＢ部近傍、即ちシャッタ部材２６近傍を前面側から見た斜視図である。図６は、ダクト部材２０の前面を覆うダクトカバー１２が取り外された状態を示す。
【００５７】
図６に示すように、操作部材１６は、左右方向に長い略矩形板状の形態をなし、例えば、ポリプロピレン等から成形される。操作部材１６の前面側には、前述のとおり、操作部１７が形成されている。
【００５８】
ダクト部材２０の前面側には、略左右方向に延在して操作部材１６が嵌め込まれるガイド溝２５が形成される。ガイド溝２５は、操作部材１６を摺動自在に支持する支持構造である。そして、操作部材１６は、ダクト部材２０とその前面に設けられるダクトカバー１２（図５参照）との間に摺動自在に挟持される。これにより、操作部材１６を直線往復動自在に支持するための支持部品等を別途設けることなく、簡易な構成で操作部材１６を支持することができる。なお、操作部材１６を摺動自在に支持するためのガイド溝２５に相当する溝等の支持構造は、ダクトカバー１２の背面側に形成されても良い。
【００５９】
図７は、冷蔵庫１のダクト部材２０の図２に示すＢ部近傍、即ちシャッタ部材２６近傍を背面側から見た斜視図である。図７に示すように、操作部材１６の背面側に形成されて奥方向に突出するピン部１８は、シャッタ部材２６に形成されるガイド部２７に挿通される。これにより、シャッタ部材２６と操作部材１６とは、ピン部１８及びガイド部２７において回転対偶及び滑り対偶で結合され、操作部材１６の直線往復運動をシャッタ部材２６の回転運動に変換して伝達するリンク機構が構成される。
【００６０】
このような構成により、操作部材１６を略左右方向に移動させることにより、シャッタ部材２６を回動させて、供給風路１０の通路面積を変化させることができる。これにより、冷蔵室３（図１参照）に供給される空気の流量を調整することができる。
【００６１】
ここで、シャッタ部材２６の回動の中心となる回動軸２８からピン部１８の移動軌跡を示す直線までの距離は、回動軸２８から自由端２６ａまでの距離よりも小さい。これにより、操作部材１６の移動量が小さくてもシャッタ部材２６の自由端２６ａを大きく移動させることができる。即ち、シャッタ部材２６を大きく回動させることができる。
【００６２】
そのため、シャッタ部材２６は、供給風路１０の横幅が広くても、供給風路１０の通路面積を好適に変化さることができる。これにより、供給風路１０の横幅を広くして所定の通路面積を確保しつつ、供給風路１０の奥行きを狭くして冷蔵室３の収納容積を大きく確保するこができる。
【００６３】
なお、ガイド部２７に挿通されるピン部１８は、その先端部がガイド部２７の背面側の端面よりも背面側に突出するよう十分長く形成されることが望ましい。これにより、ピン部１８がガイド部２７から外れてしまうことが防止され、操作部材１６の動きを確実にシャッタ部材２６に伝達することができる。
【００６４】
図８は、冷蔵庫１のシャッタ部材２６を全開にした状態を示すダクト部材２０及びダクトカバー１２の図２に示すＢ部近傍、即ちシャッタ部材２６近傍の背面図である。図８に示すように、シャッタ部材２６は、自由端２６ａが下方に移動するよう回動して供給風路１０を開く。シャッタ部材２６を全開にした状態では、冷蔵室３（図１参照）に供給される空気の量が増加し、冷凍室４（図１参照）に供給される空気の量が減少する。換言すれば、シャッタ部材２６の全開状態は、冷凍室４の「弱」運転に相当する。
【００６５】
シャッタ部材２６の固定端２６ｂに近い供給風路１０の一方の側面２４ｂには、シャッタ部材２６が供給風路１０を全開にする状態において自由端２６ａの下方で自由端２６ａよりも左右方向の内側に突出する凸部２３が形成される。
【００６６】
これにより、シャッタ部材２６を全開にした状態においては、シャッタ部材２６の自由端２６ａが凸部２３に接近し、凸部２３によってシャッタ部材２６とその固定端２６ｂ側の供給風路１０の側面２４ｂとの間に空気が流れ込むことが抑制される。従って、シャッタ部材２６の自由端２６ａと、自由端側２６ａの供給風路１０の側面２４ａとの間に形成される大きな開口を通じて、少ない流動損失で効率良く空気を流すことができる。
【００６７】
図９は、冷蔵庫１のシャッタ部材２６を半開にした状態を示すダクト部材２０及びダクトカバー１２の図２に示すＢ部近傍、即ちシャッタ部材２６近傍の背面図である。なお、シャッタ部材２６の半開状態は、冷凍室４（図１参照）の「中」運転に相当する。
【００６８】
図９に示すように、シャッタ部材２６を半開にした状態においては、冷却室７（図１参照）からの冷却された空気は、シャッタ部材２６の自由端２６ａと供給風路１０の他方の側面２４ａとの間に形成される開口を通じて、冷蔵室３（図１参照）側へと流れる。また、冷却室７からの空気の一部は、シャッタ部材２６の自由端２６ａの手前から固定端２６ｂ側へと流れ、シャッタ部材２６と供給風路１０の一方の側面２４ｂとの間に形成される空間で滞留する。
【００６９】
ここで、シャッタ部材２６の固定端２６ｂとその近傍にある供給風路１０の一方の側面２４ｂとの間には、空気が流通可能な間隙が形成される。これにより、シャッタ部材２６の上流側でシャッタ部材２６と供給風路１０の一方の側面２４ｂとの間で滞留する空気を、シャッタ部材２６の固定端２６ｂと供給風路１０の一方の側面２４ｂとの間に形成される前記間隙を介して下流側に流すことができる。その結果、シャッタ部材２６の上流側の空気が過度に停留して部分的に温度差が生ずることを抑制することができ、部分的な温度差に起因する結露等の不具合を回避することができる。
【００７０】
図１０は、冷蔵庫１のシャッタ部材２６を全閉にした状態を示すダクト部材２０及びダクトカバー１２の図２に示すＢ部近傍、即ちシャッタ部材２６近傍の背面図である。図１０に示すように、シャッタ部材２６は、全閉にされた状態において、略水平になって供給風路１０の一部分を塞ぐ。シャッタ部材２６を全閉にした状態では、冷蔵室３（図１参照）に供給される空気の量が減少し、冷凍室４（図１参照）に供給される空気の量が増加する。即ち、シャッタ部材２６の全閉状態は、冷凍室４の「強」運転に相当する。
【００７１】
シャッタ部材２６が全閉になった状態において、シャッタ部材２６の自由端２６ａと供給風路１０の他方の側面２４ａとの間には間隙が残されており、この間隙を介して、冷蔵室３に供給される空気を流すことができる。即ち、シャッタ部材２６が全閉になっても、空気の流れが完全に遮断される訳ではない。
【００７２】
なお、前述のとおり、シャッタ部材２６は、自由端２６ａに向かって厚みが薄くなるよう略テーパ状に形成されているので、略水平になったシャッタ部材２６に衝突する空気の流れを、通路が形成される自由端２６ａ側に導くことができる。
【００７３】
以上説明の如く、本実施形態に係る冷蔵庫１によれば、冷蔵室３の奥面に設けられる操作部材１６の操作部１７を左右方向に移動させることによりシャッタ部材２６を容易に開閉することができる。また、操作部材１６の移動量が小さくてもシャッタ部材２６を大きく回動させることができるので、冷蔵庫１の供給風路１０が幅広に形成される場合において特に好適である。
【００７４】
本発明は、上記実施形態に限定されるものではなく、その他、本発明の要旨を逸脱しない範囲で、種々の変更実施が可能である。
【符号の説明】
【００７５】
１      冷蔵庫
２      断熱箱体
２ｂ    内箱
３      冷蔵室
４      冷凍室
７      冷却室
１０    供給風路
１１    供給風路
１２    ダクトカバー
１４    操作孔
１６    操作部材
１７    操作部
１８    ピン部
２０    ダクト部材
２１    凹部
２２    ピン孔
２３    凸部
２４ａ、２４ｂ    側面
２５    ガイド溝
２６    シャッタ部材
２６ａ  自由端
２６ｂ  固定端
２７    ガイド部
２８    回動軸
３１    冷却器
３２    送風機
【図１】
0006709349.tif 000002
【図２】
0006709349.tif 000003
【図３】
0006709349.tif 000004
【図４】
0006709349.tif 000005
【図５】
0006709349.tif 000006
【図６】
0006709349.tif 000007
【図７】
0006709349.tif 000008
【図８】
0006709349.tif 000009
【図９】
0006709349.tif 000010
【図１０】
0006709349.tif 000011